(57)【要約】【課題】  脂肪酸と陽イオン性界面活性剤及び高濃度の非イオン性界面活性剤を用いた組成物において、低温安定性に優れた液体洗浄剤組成物を提供することを課題とする。【解決手段】  下記一般式（１）に示される非イオン性界面活性剤（A)３０〜６５重量％と【化１】2011252051.tif 000010［式中R１は直鎖状のアルキル基であり、nはエチレンオキサイドの平均付加モル数を表す］脂肪酸及びその塩（B)と陽イオン性界面活性剤（C)とハイドロトロープ剤（D)と（E)成分として、下記の一般式（２）【化２】2011252051.tif 000011［ただし、ＡＯ１はオキシアルキレン基の１種または２種以上の混合物で、Ｒ２はアルケニル基、Ｒ３ はアルキル基、mはオキシアルキレン基の平均付加モル数である。］で示されるアルケニルエーテルと無水マレイン酸との共重合体で、この加水分解物及びこの塩を含有し、残りが水である液体洗浄剤組成物を提供する。【選択図】  なし【特許請求の範囲】
【請求項１】
下記一般式（１）に示される非イオン性界面活性剤（A)３０〜６５重量％と
【化１】
2011252051.tif 000007
［式中R１は炭素数１２〜１４の直鎖状のアルキル基であり、nはエチレンオキサイドの平均付加モル数を表し、８〜１０である］
脂肪酸及びその塩（B)と陽イオン性界面活性剤（C)とハイドロトロープ剤（D)と（E)成分として、下記の一般式（２）
【化２】
2011252051.tif 000008
［ただし、ＡＯ１は炭素数２〜１８のオキシアルキレン基の１種または２種以上の混合物で、２種以上のときはブロック状に付加していてもランダム状に付加していてもよく、Ｒ２
のアルケニル基、Ｒ３ はアルキル基、mはオキシアルキレン基の平均付加モル数である。］
で示されるアルケニルエーテルと無水マレイン酸との共重合体で、この加水分解物及びこの塩を含有し、残りが水であることを特徴とする液体洗浄剤組成物である。
【請求項２】
前記非イオン性界面活性剤（A)を４０〜５５重量％含有する液体洗浄剤組成物。
【請求項３】
前記陽イオン性界面活性剤（C)として、イミダゾリン型陽イオン性界面活性剤を含有する液体洗浄剤組成物。
【請求項４】
前記ハイドロトロープ剤（Ｄ）として、下記一般式（３）で示される液体洗浄剤組成物。
【化３】
2011252051.tif 000009
［式中R4は炭素数２〜６のアルキル基であり、AO２は炭素数２〜４のアルキレンオキサイドであり、ｋはアルキレンオキサイドの付加モル数で０〜４である。］
【請求項５】
前記ハイドロトロープ剤を２種類以上含有する液体洗浄剤組成物。
【発明の詳細な説明】
【技術分野】
【０００１】
本発明は液体洗浄剤組成物に関する。
【背景技術】
【０００２】
洗浄剤組成物には、その形態が粉末状のものや液体状のものが存在するが、水中での溶け残りの懸念がないことや、洗浄対象物に対して直接塗布することが可能である等の理由から、世界的に液体洗浄剤組成物の使用割合が高まっている。
さらに近年では、利便性向上の観点から、例えば衣料用液体洗浄剤組成物の場合、洗浄力と繊維の柔軟性付与効果を共に有する、２
ｉ ｎ １ 型の液体洗浄剤組成物も求められている。
このように、液体洗浄剤組成物には、洗浄力だけではなく、洗浄力以外の機能も必要とされるようになってきている。
一方、かかる液体洗浄剤組成物は、様々な場所や条件下で使用されることが想定されることから、経時安定性に優れていることも重要である。
【０００３】
これまでに液体洗浄剤組成物としては、例えば、非イオン性界面活性剤／アニオン性界面活性剤／モノアルキルタイプのカチオン性界面活性剤の配合割合を種々特定した液体洗浄剤組成物等が提案されている（例えば、特許文献１参照）
。
また、特定のアミン化合物又はその酸塩を含有する組成物（特許文献２参照）や、非イオン性界面活性剤、特定のアミン化合物、ハイドロトロープ剤およびプロテアーゼを含有してなる液体洗浄剤組成物が提案されている（特許文献３参照）
。
【先行技術文献】
【特許文献】
【０００４】
【特許文献１】特開平７ − １ ６ ６ １ ９ ０ 号公報
【特許文献２】特開平１０ − ７ ２ ７ ７ ２ 号公報
【特許文献３】特開２０ ０ ５ − １ ０ ５ １ ０ ７ 号公報
【発明の概要】
【発明が解決しようとする課題】
【０００５】
特許文献１ に記載の液体洗浄剤組成物は、洗浄対象物に対して柔軟性付与効果を有し、かつ良好なすすぎ性が発揮されたものである。また、特許文献２ に記載の組成物は、洗濯の繰り返しによる衣料の色調劣化が抑制されたものである。
しかしながら、特許文献１ 〜 ２ に記載の組成物は、いずれも経時安定性については考慮されていない。
【０００６】
また、特許文献３に記載の液体洗浄剤組成物は、５０℃および５℃の保存条件下での経時安定性については良好であるものの、それより低い温度（例えば−５℃）
条件下では沈殿物が発生し、低温安定性は充分ではない。
本発明者の検討によると、特に脂肪酸塩と陽イオン性界面活性剤及び高濃度（例えば５０％）の非イオン性界面活性剤を含有する液体洗浄剤組成物での経時安定性の評価において、低温（−５℃）
での保存時に沈殿が生じやすいことが分かった。さらに、かかる液体洗浄剤組成物は、寒冷地などの保存温度条件に相当すると考えられる０℃より低い温度（例えば−５℃）と０℃付近（例えば５℃）との繰り返しの条件下において沈殿が生じやすいことが分かった。
【０００７】
本発明は、上記事情に鑑みてなされたものであり、脂肪酸と陽イオン性界面活性剤及び高濃度の非イオン性界面活性剤を用いた組成物において、低温安定性に優れた液体洗浄剤組成物を提供することを課題とする。
【課題を解決するための手段】
【０００８】
本発明者は上記課題を解決する為鋭意検討した結果、特定の、高分子成分を用いることによって、上記目的を達成出来ることを見いだした。
【発明の効果】
【０００９】
高濃度の非イオン性界面活性剤に脂肪酸及びその塩、陽イオン性界面活性剤を含有しながら、低温における経時安定性に優れた液体洗浄剤組成物を作ることが出来る。
【発明を実施するための形態】
【００１０】
以下本発明について更に詳細に説明する。
本発明の液体洗浄剤組成物は下記一般式（１）に示される非イオン性界面活性剤（A)３０〜６５重量％と
【化１】
2011252051.tif 000002
［式中R１は炭素数１２〜１４の直鎖状のアルキル基であり、nはエチレンオキサイドの平均付加モル数を表し、８〜１０である］
脂肪酸及びその塩（B）と陽イオン性界面活性剤（C）とハイドロトロープ剤（D）と（E）成分として、下記の一般式（２）
【化２】
2011252051.tif 000003
［ただし、ＡＯ１は炭素数２〜１８のオキシアルキレン基の１種または２種以上の混合物で、２種以上のときはブロック状に付加していてもランダム状に付加していてもよく、Ｒ２
はアルケニル基、Ｒ３ はアルキル基、mはオキシアルキレン基の平均付加モル数である。］
で示されるアルケニルエーテルと無水マレイン酸との共重合体で、この加水分解物及びこの塩を含有し、残りが水であることを特徴とする。
【００１１】
（A)成分は下記一般式（１）で示され、
【化１】
2011252051.tif 000004
［式中R１は炭素数１２〜１４の直鎖状のアルキル基であり、nはエチレンオキサイドの平均付加モル数を表し、８〜１０である］
R１の炭素数は１２が好ましく、更に好ましくは１２と１４の混合でありさらに好ましくはこの混合比が１２：１４＝７５：２５であると液体洗浄剤としての低温でのゲル化が抑制される。
【００１２】
脂肪酸及びその塩（Ｂ）の脂肪酸は炭素数１０〜１８であり、好ましくは炭素数１２〜１６である。
【００１３】
（Ｂ）成分は全液体洗浄剤組成物中１〜５重量％が好ましく、さらに好ましくは２．５〜３．５重量％であると低温安定性が良くなる。
【００１４】
（Ｂ）成分の塩としては、モノエタノールアミン、ジエタノールアミン、トリエタノールアミン、苛性ソーダ、苛性カリ等のアルカリ剤を使うことができる。特に、アルカノールアミンを用いると低温安定性が良いので好ましい。
【００１５】
陽イオン性界面活性剤（Ｃ）としては、イミダゾリン型カチオン性界面活性剤を用いると衣類への柔軟性付与やごわつき防止効果及び経時安定性における変色防止効果が向上するので好ましい。
【００１６】
（Ｃ)成分の配合量は液体洗浄剤組成物中３重量％以下が低温安定性の面で好ましい。また、１．５重量％以上であると経時安定性における変色防止効果が出るので好ましい。
【００１７】
ハイドロトロープ剤（Ｄ）は、下記一般式（３）で示され、
【化３】
2011252051.tif 000005
［式中R４は炭素数２〜６のアルキル基であり、AO２は炭素数２〜４のアルキレンオキサイドであり、ｋはアルキレンオキサイドの付加モル数で０〜４である。］
低温安定性の向上だけでなく、非イオン界面活性剤を配合することにより低下した液体洗浄剤組成物の水への溶解性を向上させることができる。
【００１８】
（Ｄ）成分は液体洗浄剤組成物の１０重量％以上が好ましく、さらに好ましくは１５重量％以上あるとよい。
【００１９】
（Ｅ)成分はアルケニルエーテルとマレイン酸の共重合体の加水分解物である。
本発明においては、（Ｅ)成分を使うことにより本発明の効果である液体洗浄剤組成物の低温安定性を向上させることができる。
【００２０】
（Ｅ）成分の配合量は液体洗浄剤組成物中０．５重量％以上が好ましく、さらに好ましくは１〜１．５重量％が低温安定性の面で良い。
【００２１】
本発明の液体洗浄剤は、その他成分として、一般の洗浄剤添加物を含有することができる。例えば、ポリエチレングリコール、カルボキシメチルセルロース等のポリマー、ポリビニルピロリドン等の色移り防止剤、プロテアーゼ、アミラーゼ、セルラーゼ、リパーゼ等の酵素、ブチルヒドロキシトルエン等の酸化防止剤、防腐剤、香料成分、染料、蛍光染料、顔料等を必要に応じて含んでも良い。
【００２２】
本発明の液体洗浄剤組成物は、その調整方法が特に制限されるものではなく、例えば通常の液体洗浄剤組成物の常法に準じて調整することができる。すなわち液体洗浄剤組成物の各必須成分と、必要に応じて前記任意成分、更に適宜水を配合、混合することによって調整することができる。
かかる液体洗浄剤組成物の液性は、特に制限されるものではないが、例えば液体洗浄剤組成物のｐＨは、洗浄力の点から、ｐＨ４〜１１であることが好ましく、ｐＨ５〜１０であることがより好ましく、ｐＨ６〜９であることがさらに好ましい。
【００２３】
本発明の液体洗浄剤組成物は、例えばプラスチック製容器に収納することが出来る。プラスチック製容器としては、例えばボトル本体容器、詰め替え用のスタンディングパウチ等が挙げられる。
【実施例１】
【００２４】
以下に実施例（実験例） を用いて本発明をさらに詳しく説明するが、本発明はこれら実施例（実験例） に限定されるものではない。
【００２５】
表１ に示す組成に従って、常法に準じて液体洗浄剤組成物を調製し、各例の液体洗浄剤組成物を得た。
得られた各例の液体洗浄剤組成物について、下記の評価方法に従って洗浄力、
低温安定性をそれぞれ評価した。その結果を表１に併記した。
≪洗浄力評価≫
（ １ ） 洗浄処理方法
JIS硬度水１０００mlに液体洗浄剤組成物０．３３ｇを溶かし、ターゴトメーターで３０℃100rpmの条件で洗濯科学協会製 湿式汚染布１０枚を１０分間撹拌した（洗浄）。そして、汚染布を流水すすぎした後脱水、乾燥させた。
（ ２ ） 洗浄力の評価方法
前記洗浄処理を終えた湿式汚染布の反射率を、反射率計TC-6D（日本電色（株）製）により測定し、洗浄率を以下の式で算出した。
洗浄率（％）＝（汚染布の反射率−洗浄布の反射率）／（汚染布の反射率−未汚染布の反射率）
式中、未汚染布の反射率は７０％とした。
＜ 評価基準＞
１ 点： 洗浄率が３２ ％ 未満である。
２ 点： 洗浄率が３２ ％ 以上〜 ３５ ％ 未満である。
３ 点： 洗浄率が３５ ％ 以上〜 ３８ ％ 未満である。
４ 点： 洗浄率が３８ ％ 以上〜 ４１ ％ 未満である。
５ 点： 洗浄率が４１％ 以上である。
【００２６】
≪ 低温安定性評価 ≫
本発明の効果を証明するための実験例１〜2及び比較組成について、各例の液体洗浄剤組成物２５ｍＬを、直径３５ｍｍ、高さ７８ｍｍの円筒ガラス瓶に取り、蓋を閉めて密封した。この状態で、−５℃から５℃への昇温（所要時間：８時間）
と、５℃ から−５℃への降温（所要時間：１６時間）を１サイクルとした操作を３ヶ月間行い、３ヶ月後の液体洗浄剤組成物の外観を目視観察し、下記基準により評価した。
＜ 評価基準＞
１ 点： 著しい沈殿または濁りが認められた。
２ 点： 沈殿または濁りが認められた。
３ 点： 若干の沈殿または濁りが認められた。
４ 点： 外観の変化はほとんど認められなかった。
５ 点： 外観の変化は全く認められなかった。
【００２７】
液体洗浄剤組成物及びその物性を表１に示す。
【表１】
2011252051.tif 000006
【００２８】
*非イオン性界面活性剤：AEO-9（丸善化学工業（株）製）
*イミダゾリン型カチオン性界面活性剤：カチオンSF-75PA（三洋化成工業（株）製）
*共重合体：マリアリムHKM-50A（日油（株）製）
*プロテアーゼ：サビナーゼウルトラＸＬ１６（ノボザイムズジャパン（株）製）
*防腐剤：アクチサイドMV（ソージャパン（株）製）